(57)【特許請求の範囲】
【請求項１】
前面と頂面とを有する本体と、前記本体の一部に定められ前記本体の前記前面からへこまされた収納用キャビティと、前記収納用キャビティ内に収容されるべく形状付けられたパネルと、前記パネルを前記収納用キャビティ内にマウントする手段と、前記収納用キャビティ内において前記本体の前記前面に対して傾斜した位置で前記パネルを部分的に保持する手段を備えたことを特徴とする患者支持台用のコンバーチブル型足板。
【請求項２】
前記パネルは前面および該前面に対向して配置された後面を有し、前記パネルは前記前面の左側と前記後面の左側との間に配置された左側面を有し、前記パネルは前記前面の右側と前記後面の右側との間に配置されて前記左側面に対向する右側面を有し、前記収納キャビティは、後壁、および該後壁に対し直角に配置された頂側壁によって定められ、前記収納用キャビティ内において傾斜した位置で前記パネルを部分的に保持する手段は、前記パネルの前記前面から前記パネルの前縁に沿って延びるべく配置された保持用リップと、前記収納用キャビティの前記頂側壁から延びるべく配置された保持用フランジと、を含むことを特徴とする請求項１に記載の足板。
【請求項３】
前記収納キャビティは、さらに前記後壁および前記頂側壁に対し直角に配置された左側壁、および前記後壁および前記頂側壁に対し直角に配置されて前記左側壁に対向する右側壁によって定められ、前記部分的に保持する前記手段は、さらに、前記キャビティの前記頂側壁の近傍で前記キャビティの前記左側壁に定められた左の穴と、前記キャビティの前記頂側壁の近傍で前記キャビティの前記右側壁に定められた右の穴と、を含み、前記収納用キャビティの前記右側壁および左側壁のそれぞれの前記右の穴および左の穴の各々は、前記本体の前記前面に直角な線に概ね沿う方向に細長く、前記収納用キャビティの前記右側壁および左側壁のそれぞれの前記細長い右の穴および左の穴の各々は、前端と後端とを有し、該前端は前記後端よりも前記本体の前記前面に近く、前記後端は前記前端よりも前記収納用キャビティの前記後壁に近く、前記パネルは、前記パネルの前記前面が前記本体の前記前面に対し鈍角に配置されたときに前記保持用リップが前記保持用フランジに係合できるように、前記細長い左の穴および右の穴に回動および摺動可能にマウントされていることを特徴とする請求項２に記載の足板。
【請求項４】
さらに、前記本体の前記頂面の上方に前記パネルをマウントする手段を備えたことを特徴とする請求項１に記載の足板。
【請求項５】
前記本体の前記頂面の上方に前記パネルをマウントする前記手段は、前記本体内に定められ前記本体の前記頂面を貫通して延びる細長い第１のチャンネルと、前記本体内に定められ前記第１のチャンネルに横向きに連絡する第１の部分を有する第１のロック用の溝と、前記本体の前記第１のチャンネル内に摺動可能に配置される細長い第１のシャフトを有する第１のボルトであって、前記第１のシャフトから横向きに延びるハンドル部分を有し、前記ハンドル部分が前記第１のロック用溝内に摺動可能に収容される一方、前記第１のシャフトの端部が前記本体の前記頂面の上方に延出するように形状付けられた第１のボルトと、を含むことを特徴とする請求項４に記載の足板。
【請求項６】
前記本体の前記頂面の上方に前記パネルをマウントする前記手段は、さらに、前記パネルの前記後面から前記パネル内に延びる第１の開口を含み、前記第１の開口は、前記端部が前記本体の前記頂面の上方に延出したときに前記第１のシャフトの前記端部を受け入れるべく形状付けられ、かつ、配置されていることを特徴とする請求項５に記載の足板。
【請求項７】
前記パネルの前記前面は、前記第１の開口が前記本体の前記頂面の上方に延出する前記第１のシャフトの前記端部を受け入れたときに概ね水平位置に配置されることを特徴とする請求項６に記載の足板。
【請求項８】
前記本体の前記頂面の上方に延出する前記第１のシャフトの前記端部は、前記シャフトの自由端に向けてテーパ付に形状付けられていることを特徴とする請求項６に記載の足板。
【請求項９】
前記パネルは前面および該前面に対向して配置された後面を有し、前記パネルは前記前面の左側と前記後面の左側との間に配置された左側面を有し、前記パネルは前記前面の右側と前記後面の右側との間に配置されて前記左側面に対向する右側面を有し、前記収納キャビティは、後壁、該後壁に対し直角に配置された頂側壁、該頂側壁に対向して配置された底側壁、前記後壁に対し直角に配置されて前記頂側壁と前記底側壁との間に延在する左側壁、および前記後壁に対し直角に配置されて前記左側壁に対向すると共に前記頂側壁と前記底側壁との間に延在する右側壁によって定められ、前記パネルを前記収納用キャビティにマウントする前記手段は、前記パネルを前記収納用キャビティ内に回動可能にマウントする手段を含み、前記パネルを前記収納用キャビティ内に回動可能にマウントする前記手段は、前記キャビティの前記頂側壁の近傍で前記キャビティの前記左側壁に定められた左の穴と、前記パネルの前記左側面から延出する左の細長いピンであって、前記キャビティの前記左側壁の前記左の穴内で回動すべく形状付けられた断面形状を有する左の細長いピンと、前記キャビティの前記頂側壁の近傍で前記キャビティの前記右側壁に定められた右の穴と、前記パネルの前記右側面から延出する右の細長いピンであって、前記キャビティの前記右側壁の前記右の穴内で回動すべく形状付けられた断面形状を有する右の細長いピンと、を含むことを特徴とする請求項１に記載の足板。
【請求項１０】
前記収納用キャビティの前記右側壁および左側壁のそれぞれの前記右の穴および左の穴の少なくとも１つは、前記本体の前記前面に直角な線に概ね沿う方向に細長いことを特徴とする請求項９に記載の足板。
【請求項１１】
さらに前記収納用キャビティの前記頂側壁の近傍に配置された少なくとも１つの傾斜ガイドを備え、前記収納用キャビティの前記右側壁および左側壁のそれぞれの前記細長い右の穴および左の穴の少なくとも１つは、前端と後端とを有し、該前端は前記後端よりも前記本体の前記前面に近く、前記後端は前記前端よりも前記収納用キャビティの前記後壁に近く、前記少なくとも１つの傾斜ガイドは、前記細長い右の穴および左の穴の前記少なくとも１つの前記前端に連なって配置されていることを特徴とする請求項１０に記載の足板。
【請求項１２】
前記パネルは前面および該前面に対向して配置された後面を有し、前記収納キャビティは、後壁、該後壁に対し直角に配置された頂側壁、該頂側壁に対向して配置された底側壁、前記後壁に対し直角に配置されて前記頂側壁と前記底側壁との間に延在する左側壁、および前記後壁に対し直角に配置されて前記左側壁に対向すると共に前記頂側壁と前記底側壁との間に延在する右側壁によって定められ、前記パネルを前記収納用キャビティにマウントする前記手段は、前記パネルを前記収納用キャビティ内に磁気的に係合させる手段であって、前記収納用キャビティの前記後壁から延びて配置された少なくとも１つの第１の磁気結合素子と、前記パネルが前記収納用キャビティに収容されたとき、前記収納用キャビティの前記後壁から延びる前記磁気結合素子に整合すべく前記パネルの前記後面に配置された少なくとも１つの第２の磁気結合素子とを有する手段を含むことを特徴とする請求項１に記載の足板。
【請求項１３】
さらに、前記パネルを前記収納用キャビティ内にマウントされている状態から解放する手段を備えたことを特徴とする請求項１に記載の足板。
【請求項１４】
前記パネルは前面および該前面に対向して配置された後面を有し、前記パネルは前記前面の左側と前記後面の左側との間に配置された左側面を有し、前記パネルは前記前面の右側と前記後面の右側との間に配置されて前記左側面に対向する右側面を有し、前記パネルを前記収納用キャビティ内にマウントされている状態から解放する前記手段は、前記パネルの前記左側面の近傍に配置され前記後面からへこまされた左の把持用キャビティと、前記左の把持用キャビティに回動可能に配置された左のレバーと、前記パネルの前記左側面から延出する左の細長いピンであって、円形断面形状を有し前記左のレバーの第１の端部に回動可能に係合する左の細長いピンと、前記左の把持用キャビティ内に配置され前記左のレバーの前記第１の端部に対向する第２の端部に接続された左のハンドルと、前記パネルの前記右側面の近傍に配置され前記後面からへこまされた右の把持用キャビティと、前記右の把持用キャビティに回動可能に配置された右のレバーと、前記パネルの前記右側面から延出する右の細長いピンであって、円形断面形状を有し前記右のレバーの第１の端部に回動可能に係合する右の細長いピンと、前記右の把持用キャビティ内に配置され前記右のレバーの前記第１の端部に対向する第２の端部に接続された右のハンドルと、を含むことを特徴とする請求項１３に記載の足板。
【発明の詳細な説明】
【０００１】
【産業上の利用分野】
本発明は、ベッド用の足板、さらに詳しくは多数の機能を遂行するためのコンバーチブル型足板に関する。
【０００２】
なお、本明細書の記述は本件出願の優先権の基礎たる米国特許出願第０８／１３９，５２６号、（１９９３年１０月２０日出願）の明細書の記載に基づくものであって、当該米国特許出願の番号を参照することによって当該米国特許出願の明細書の記載が本明細書の一部分を構成するものとする。
【０００３】
【従来の技術】
病室には典型的にベッド、ベッドスタンドおよびおそらくは椅子以外の家具は備えられていない。病院のベッドには、典型的にいかなる収納スペースも設けられていない。かくて、病院のスタッフが患者のベッドを一つの部屋から他へ患者を載せたまま移動させるときには、病院スタッフのさらなる人員が患者の個人的な身の回り品を集めまたそれらを新しい場所に物理的に運ぶことが必要とされるかもしれない。
【０００４】
患者の看護に関連する病院の種々のレコードは典型的にベッドの足板に取り付けられているクリップボードに保管されている。このやり方はこれらのレコードを、訪問者のようにかかるレコードにアクセスする必要のない、おそらくそうすべきでない人の目に触れさせている。さらに、これらのレコードの調整はベッドの足板の近傍にある便利な筆記面によって促進される。このレコードが調整されているときに食事提供用トレイがベッド上にたまたま無ければ、かかる筆記面はしばしば利用できない。
【０００５】
【発明が解決しようとする課題】
そこで本発明の主たる目的は、病院の環境下において有用な他の機能を遂行するべく操作され得る足板を提供することにある。
【０００６】
本発明のまた主たる目的は、病院の環境下において有用な他の機能を遂行するべく操作され得、手動で取り外すことができるパネルを備えたベッドの足板を提供することにある。
【０００７】
本発明のさらなる主たる目的は、患者のレコードを明瞭な視界外に収容することができ、しかも必要なとき病院のスタッフが容易にアクセスできるベッドの足板を提供することにある。
【０００８】
本発明の他の主たる目的は、患者のレコードの調整のために便利な筆記面をもたらす配列を採るべく手によって容易かつ迅速に操作されるパネルを備えたベッドの足板を提供することにある。
【０００９】
本発明のさらに他の主たる目的は、ベッドが静止されている、あるいは一つの場所から他に移動されている間等しく機能するすることができる有用な棚として役立つべくベッドの足下に手動で配置され得るパネルを備えるベッドの足板を提供することにある。
【００１０】
本発明のさらなる目的および効果は下記の説明においていくらか述べられよう、またその説明からいくらかは自明であろう、あるいは本発明を実施することによって知られるかもしれない。本発明の目的および効果は請求項に特に指摘された手段および組み合わせによって理解されおよび得られるかもしれない。
【００１１】
【課題を解決するための手段および作用】
このような目的を達成するために、および本発明の目的従い、具体化されおよび広く記載されているように、コンバーチブル型の足板は前面と後面とを有する本体を含んでいる。本体は、本体の内部に配置された種々の部品を備えて形状付けられている。足板は、本体の一部に定められた収納用キャビティを含んでいる。収納用キャビティは、本体の前面に概ね平行でそれからへこまされた後壁を含むことができる。収納キャビティはまた、後壁に対し直角に配置された頂側壁、該頂側壁に対向して配置された底側壁、後壁に対し直角に配置され前記頂側壁と前記底側壁との間に延在する左側壁、および前記後壁に対し直角で前記左側壁に対向して配置され前記頂側壁と前記底側壁との間に延在する右側壁によって定められ得る。さらに、収納用キャビティの左側壁は左の切り欠き、および右側壁は右の切り欠きを備えて形状付けられている。加えて、ポケット部材が収納用キャビティ内に配置されかつ後壁に取り付けられ得、病院のスタッフによって用いられ通常は収納用キャビティ内で視界から隠されるがスタッフに必要とされるときには容易にアクセス可能な患者のレコードを保持する便利なスペースをもたらすポケットを形成する。
【００１２】
さらに本発明によれば、パネルが設けられ収納用キャビティに収容されるべく形状付けられている。ここに具体化されるように、パネルは前面および該前面に対向して配置された後面、前記前面の左側と前記後面の左側との間に配置された左側面、および前記前面の右側と前記後面の右側との間で前記左側面に対向する右側面によって定められる。パネルはパネルの内部に配置される種々の部品を備えて形状付けられている。
【００１３】
さらに本発明によれば、パネルを収納用キャビティ内にマウントする手段が設けられ得る。パネルを前記収納用キャビティにマウントする手段は、キャビティの左側壁でキャビティの頂側壁の近傍に定められた左の穴と、キャビティの右側壁でキャビティの頂側壁の近傍に定められた右の穴とを含み得る。パネルを前記収納用キャビティにマウントする手段は、パネルの右側面から延出する右の細長いピンであって、右の穴内で回動すべく円形断面形状を有する右の細長いピンを含み得る。パネルを前記収納用キャビティにマウントする手段は、パネルの左側面から延出する左の細長いピンであって、左の穴内で回動すべく円形断面形状を有する左の細長いピンを含み得る。このようにして、穴とピンとはパネルを収納用キャビティ内で回動可能にマウントする手段を提供している。望ましくは、左右の両穴は、一般に水平でそれ故本体の下側の前面が存在する垂直面に直角である面内に細長くなる方法で形状付けられている。望ましくは、収納用キャビティのそれぞれの左右の側壁内の細長い左右の穴の各々は、後端に対向して配置された前端を有している。さらに、収納用キャビティの頂側壁の近傍には一対の傾斜ガイドが配置されている。各傾斜ガイドは望ましくは左右の細長い穴の少なくとも一つの前端に連なって配置されている。各傾斜ガイドはそれぞれの左および右の細長いピンを収納用キャビティの左右の側壁に配置されたそれぞれの細長い穴に案内するべく機能する。
【００１４】
さらに本発明によれば、収納用キャビティ内にパネルをマウントする手段は、パネルを収納用キャビティ内に磁気的に結合する手段を含み得る。ここに具体化されるように、パネルを前記収納用キャビティ内に磁気的に結合する手段は、収納用キャビティの前記後壁から延びて配置された少なくとも１つの第１の磁気結合素子を含み得る。さらに、パネルを前記収納用キャビティ内に磁気的に結合する手段はまた、パネルが収納用キャビティに収容されたとき、収納用キャビティの後壁から延びる第１の磁気結合素子に整合すべくパネルの後面に配置された少なくとも１つの第２の磁気結合素子を含み得る。
【００１５】
さらに本発明によれば、パネルを前記収納用キャビティ内にマウントされている状態から解放する手段が設けられ得る。ここに具体化されるように、パネルを収納用キャビティ内にマウントされている状態から解放する手段は、パネルの左側面および右側面の１つの近傍に配置され後面からへこまされた少なくとも１つの第１の把持用キャビティを含み得る。望ましくは、第２の把持用キャビティが同様の方法でパネルの他の側の面に形成され配置されている。パネルを前記収納用キャビティ内にマウントされている状態から解放する手段はまた、パネル内に把持用キャビティの近傍でパネルの隣接する側壁に形成された開口に整合して形成された細長い柱状形態のスロットを含むことができる。パネルを前記収納用キャビティ内にマウントされている状態から解放する手段はまた、パネルの左および右側面の１つから開口を通って延出する第１の細長いピンを含み得る。このピンは、円形断面形状を有しパネル内にパネルの隣接する側面を貫通する開口に整合して形成されたスロット内に摺動自在に受け入れられる。細長いピンのパネルの側面を越えて延出する端部に対向する端部は、望ましくは金属で形成されスロット内に収容されているコイルスプリングによって付勢されている。第２の細長いピン、スロット、およびスプリングはパネル解放手段の一部を形成することができ、パネルの左または右の対向する側に同様の方法で形成および配置され得る。
【００１６】
パネルを前記収納用キャビティ内にマウントされている状態から解放する手段はまた、第１の把持用キャビティ内に回動可能にマウントされた少なくとも第１のレバーを含むことができる。このレバーは剛性のロッドとして形成され得、ロッドの長さに沿って概ね中央部分で折り曲げられている。望ましくは、枢支ポストが第１の把持用キャビティ内に配置かつマウントされており、第１のレバーがポストの回りに回動すべく回動自在にマウントされている。細長いピンはレバーの第１の端部に回動可能に連結し得る。パネルを前記収納用キャビティ内にマウントされている状態から解放する手段はまた、第１の把持用キャビティ内に配置され細長いピンに回動可能に連結されているレバーの第１の端部に対向する第２の端部に接続された第１のハンドルを含むことができる。
【００１７】
さらに本発明によれば、収納用キャビティ内において本体の前面に対し傾斜した位置でパネルを部分的に保持する手段を設けることができる。ここに具体化されるように、パネルを部分的に保持する手段は、パネルの前縁に沿ってパネルの前面から延びるべく配置された保持用リップを含むことができる。部分的に保持する手段はまた、収納用キャビティの頂側壁から延びて配置された保持用フランジを含むことができる。加えて、前記部分的に保持する手段はまた、パネルがそれぞれの左右の細長いピンによって回動かつ摺動可能にマウントされている左右の細長い穴を含むことができる。このようにして、パネルの前面が本体の前面に対して鋭角に配置されたとき保持用リップは保持用フランジに係合することができる。
【００１８】
さらに本発明によれば、本体の頂面の上方にパネルをマウントする手段を設けることができる。本体の頂面の上方にパネルをマウントする手段は、本体内に定められ本体の頂面を貫通して延びる細長い第１のチャンネルを含むことができる。第１のチャンネルは本体の前面と後面との間に定められ、本体の上側部分に延在している。本体の頂面の上方にパネルをマウントする手段はまた、本体内に定められ第１のチャンネルに横向きに連絡する第１の部分を有する第１のロック用溝を含むことができる。本体の頂面の上方にパネルをマウントする手段はまた、本体の第１のチャンネル内に摺動可能に配置された細長い第１のシャフトを有する第１のボルトを有することができる。第１のボルトは、第１のシャフトから横向きに延びるハンドル部分を有し、ハンドル部分は第１のシャフトのテーパ付端部が本体の頂面の上方に延出している間、第１のロック用溝内に摺動可能に収容され得る。
【００１９】
本体の頂面の上方にパネルをマウントする手段は、さらに、パネルの後面からパネル内に延びる第１の開口を備えることができる。第１の開口は端部が本体の頂面の上方に延出したとき、第１のシャフトの端部を受け入れるべく形状付けられ、かつ、配置されている。本体の頂面の上方にパネルをマウントする手段はまた、本体の上側部分の第２の細長いチャンネル、第２のロック用溝、第２のボルト、およびパネルの後面からパネル内に延びる第２の開口を含むことができる。
【００２０】
【実施例】
添付の図面に記載された実施例に基づき、本発明の好ましい実施例につき詳細に説明する。各実施例は、発明の説明のためのものであり発明を限定するものではない。事実、発明の範囲すなわち精神から逸脱することなく、本発明の中で種々の修正および変形がなされ得ることは、当業者にとって明らかであろう。例えば、一実施例の部分として図示され、あるいは記述されている特徴は、さらなる実施例を生み出すべく他の実施例に用いられ得る。このように、本発明は請求項の範囲およびそれらの均等の範囲内の修正および変形をカバーすることが意図されている。記載された説明および図面を通して、同一特徴部には同一番号が用いられている。
【００２１】
本発明の、コンバーチブル型足板の好ましい実施例が、例えば、図１〜図３に示されており、概して番号２０にて表わされている。
【００２２】
本発明のコンバーチブル型足板によれば、前面と頂面とを有する本体が設けられている。ここに具体化され、例えば図１〜図３に示されているように、本体は指称番号２２により概ね指示されている。本体２２は、好ましくは、前面２４を有し、ベッドの足板として正しく構成されたとき、この前面はベッドの患者支持面２５から離れて面するべく配置されている。本体２２の下側部分２６は、本体２２がベッドの足板として正しく構成されたとき、望ましくは概ね垂直面内に配置されるその前面２４を有している。図１〜図３に示されているように、本体２２の上側部分２８は、本体２２がベッドの足板として正しく構成されたとき、望ましくは本体２２の下側部分２６から離れてある角度傾斜され、かつ、ベッドの患者支持面２５に向けて傾斜されている。図１〜図３に示されているように、本体２２の上側部分２８は、一方が足板２０の左側に、他方が足板２０の右側に配置されている手持ち用切り抜き３０を備えるように形状付けられ得る。
【００２３】
本体２２は、望ましくは、金属および／またはポリカーボネートおよび／または樹脂および／または木のような剛体材料から形成され得る。本体２２は、望ましくは、従来の固定手段によって一緒に結合され得るワンピース以上で形成され得る。この多ピース構造は、後述され本体２２の内部に配置される種々の部品の形成を促進する。
【００２４】
例えば、図１〜図３、図７、および図８に示されるように、本体２２は、本体２２の最上部に概ね水平な面を定める頂面３２を有している。頂面３２の長さは、本体２２の上側部分２８の両側に配置されている切り抜き３０の分だけ減ぜられた患者支持面２５のほぼ幅分延在している。頂面３２の幅は、望ましくは、本体２２の上側部分２８の全深さに延在している。
【００２５】
さらに本発明によれば、収納用キャビティが本体の一部に定められている。収納用キャビティは本体の前面からへこまされている。具体化され、および、例えば、図２、図３に示されているように、収納用キャビティは指示番号３４によって概ね指示されている。例えば、図３に示されるように、収納用キャビティ３４は、本体２２の下側部分２６に定められ、本体２２の前面２４と概ね平行に配置され、本体２２の前面からへこまされた後壁３６を含むことができる。後壁３６に加えて、収納用キャビティ３４は、例えば、図９、図１１および１２に示される頂側壁３７によって定められ得る。例えば、図２、図３に示されるように、収納用キャビティ３４は、頂側壁３７に概ね対向して配置された底側壁３８によって定められ得る。例えば、図３に示すように、収納用キャビティ３４は、後壁３６に直角に配置され、頂側壁３７および底側壁３８の間に延在する左側壁３９によって定められ得る。同様に、収納用キャビティ３４は、後壁３６に直角にかつ左側壁３９に対向して配置され、頂側壁３７および底側壁３８の間に延在する右側壁４０によって定められ得る。
【００２６】
例えば、図１および図３に示すように、収納用キャビティ３４の左側壁３９は左側の切り欠き４１を備え、キャビティ３４の右側壁４０は右側の切り欠き４２を備えて形状付けられる。図３に示すように、ポケット部材が収納用キャビティ３４内に配置され、その後壁３６に取り付けられ得る。例えば、図９に示すように、予め形成されたスリーブ４４が剛性材料で形成され、収納用キャビティ３４の上側領域の後壁３６、頂側壁３７および底側壁３８に接触して取り付けられる。いくつかのネジ４５が、スリーブ４４のＵ  形状部内にＵ  形状挿入物４６を取り付けている（図１０にも示されている）。例えば、図３に示すように、ポケット部材４８はポケット５０を形成している。このポケット５０は、病院のスタッフによって使用される患者用レコード（カルテ）を保持し、収納用キャビティ３４内で通常視線から隠されるが、スタッフによって必要とされるときには収納用キャビティ３４内に容易にアクセス可能な、都合のよい空間を提供する。
【００２７】
さらに本発明によれば、パネルが設けられ、収納用キャビティ内に収容されるべく形状付けられている。ここに具体化され、図１〜図４および図１２に示されるように、パネルは概ね指示番号５２で指示されている。
【００２８】
例えば、図１〜図４に示すように、パネル５２は収納用キャビティ３４内に収容されるよう形状付けられ、前面５４によって定められている。例えば、図５、図１１および図１２に示すように、パネル５２は前面５４に対向して配置された後面５５をも含んでいる。例えば、図１〜図４および図１１（Ａ）に示すように、パネル５２は左側面５６を有し、この左側面５６は、パネル５２の前面５４の左側と後面（これらの図では見えない）の左側との間に配置されている。同様に、図１〜図４および図６に示すように、パネル５２は右側面５７を有し、この右側面５７は、パネル５２の前面５４の右側と後面（これらの図では見えない）の右側との間で左側面に対向して配置されている。望ましくは、パネル５２は金属および／またはポリカーボネートおよび／または樹脂および／または木のような剛性材料から形成されている。図５に示すように、パネル５２は、パネル５２の前面５４および後面５５に平行でそれらの間に延在する１つ以上の金属棒５８でもって補強されてもよい。パネル５２は、望ましくは、従来の固定手段でもって一緒に結合され得るワンピース以上で形成されてもよい。この多ピース構造は、後述されパネル５２の内部に配置される種々の部品の形成を容易とする。
【００２９】
さらに本発明によれば、パネルを収納用キャビティ３４内にマウントする手段が設けられ得る。例えば、ここに具体化され図３、図９〜図１１および図１２に示されるように、パネルを収納用キャビティ３４内にマウントする手段は、収納用キャビティ３４の左側壁３９のキャビティ３４の頂側壁３７の近傍に定められた左の穴６０を含み得る。見る角度のせいで図では見えないが、同様に形状付けられた右の穴が、収納用キャビティ３４の右側壁のキャビティの頂側壁の近傍に定められている。図３、図４および図６に示すように、パネルを収納用キャビティ３４内にマウントする手段は、パネル５２の右側面５７から延出する右の細長ピン６２を含み得る。右のピン６２は、収納用キャビティ３４の右側壁４０に配置された右の穴内で回動するべく形成された断面形状を有している。例えば、図１１および図１２に示すように、収納用キャビティ３４内にパネルをマウントする手段は、同様に、パネル５２の左側面から延出する左の細長ピン６３を含み得る。左のピン６３は、収納用キャビティ３４の左側壁３９に配置された左の穴内で回動するべく形成された断面形状を有している。このようにして、穴６０およびピン６２、６３はパネルを収納用キャビティ３４内で回動自在にマウントする手段をもたらしている。
【００３０】
図３、図９、図１０、図１１および図１２に示すように、少なくとも収納用キャビティ３４の左側壁３９内の左の穴６０は、本体２２の前面２４に直角な線に概ね沿う方向に細長にされている。望ましくは、左の穴６０および対応する鏡像関係の右の穴の両者が、この細長方式で形成され、概ね水平な面内、それ故本体２２の下側部分２６の前面２４が存する垂直面に直角に延在している。望ましくは、図３、図９および図１０に示すように、収納用キャビティ３４のそれぞれの右および左側壁４０、３９の細長い右および左の穴６０の各々は、前端６４および後端６５を有している。例えば、図３に概略的に示すように、左の細長い穴６０の前端６４は、後端６５よりも本体２２の前面２４により近く配置されている。同様に、左の細長い穴６０の後端６５は、前端６４よりも収納用キャビティ３４の後壁３６により近く配置されている。
【００３１】
さらに、例えば、図１〜図３、図９、および図１０に示すように、収納用キャビティ３４の頂側壁３７の近傍に傾斜ガイド６６が配置されている。望ましくは、一対の傾斜ガイド６６が収納用キャビティ３４の頂側壁３７の近傍に配置されている。例えば、図９および図１０に示すように、各々の傾斜ガイド６６は望ましくは、右および左の細長い穴６０の少なくとも１つの前端６４に連らなって配置されている。以下に説明するように、傾斜ガイド６６は、左の細長ピン６３および右の細長ピン６２のそれぞれを、収納用キャビティ３４の左および右側壁３９、４０にそれぞれ配置された細長い穴のそれぞれに案内するように機能する。図３、図９、および図１０に示すように、予め形成された一体構造体６７が、各傾斜ガイド６６および連通する細長い穴６０を定めるべく形状付けられてもよく、この一体構造体６７は、収納用キャビティ３４を定めている各側壁の切り抜き部分６８（図９（Ａ））に収容され、かつ、慣用的に固定されてもよい。
【００３２】
さらに本発明によれば、収納用キャビティ３４内にパネルをマウントする手段は、収納用キャビティ３４内にパネルを磁気的に結合する手段を含み得る。ここに具体化され、例えば、図３に示されるように、収納用キャビティ３４内にパネルを磁気的に結合する手段は、収納用キャビティ３４の後壁３６から延出して配置された少なくとも１つの第１の磁気結合素子７０を含み得る。図３に概略的に示すように、望ましくは一対の第１磁気結合素子が収納用キャビティ３４の後壁３６から延出して配置されている。さらに、例えば図４に仮想線（点線）で概略的に示すように、収納用キャビティ３４内にパネルを磁気的に結合する手段は、パネル５２が収納用キャビティ３４に収容されたとき、収納用キャビティ３４の後壁から延出する第１の磁気結合素子７０に整列するようパネル５２の後面５５に配置された少なくとも１つの第２の磁気結合素子７１を含み得る。望ましくは、一対の第２磁気結合素子７１がパネル５２の後面に配置されている。各第２の磁気結合素子７１は、パネル５２が収納用キャビティ３４に収容されたとき、第１の磁気結合素子７０のそれぞれに整列するよう配置されている。図３および図４に示すように、パネル５２の後面５５は、パネル５２が収納用キャビティ３４に収容されたとき第２の磁気結合素子７１が第１の磁気結合素子７０に接するよう形状付けられている。図３および図４に示されている実施例においては、第１の磁気結合素子７０は望ましくは、収納用キャビティ３４の後壁３６に取り付けられた磁石として形成され、一方、第２の磁気結合素子７１はパネル５２の後面５５に取り付けられた金属板として形成されている。しかしながら、第２の磁気結合素子７１が、第１の磁気結合素子７０を形成している磁石に対し反対の磁極の磁石であるか、または、第１の磁気結合素子７０は、第２の磁気結合素子７１が磁石である限り、金属板であってもよい。
【００３３】
本発明にさらによれば、収納用キャビティ３４内にマウントされている状態からパネルを解放する手段が設けられ得る。ここに具体化され、例えば、図６に示されるように、この解放手段は指示番号７２によって概ね指示された少なくとも第１の把持用キャビティを含む。第１の把持用キャビティ７２は望ましくは、パネル５２の左側面５６または右側面５７の一つの近傍に配置され、パネル５２の後面５５からへこまされている。第１の把持用キャビティ７２への手によるアクセスは、パネル５２の後面５５から行われる。望ましくは、第２の把持用キャビティが同様の方法で、パネル５２の他の側面５６または５７に配置される。図６に示すように、右の把持用キャビティ７２はパネル５２の右側面５７の近傍に配置され、後面５５からへこまされている。
【００３４】
例えば、図６に示すように、収納用キャビティ３４にマウントされた状態からパネルを解放する手段はまた、把持用キャビティ７２の近傍でパネル５２に形成され、かつ、隣接するパネル５２の側面５７に形成された開口７４に整列する細長い柱状開口の形態のスロット７３を含み得る。この解放手段はまた、パネル５２の左または右側面５６、５７の一つから開口７４を貫通して延びる第１の細長ピン６２を含み得る。図６に示すように、第１の細長ピン６２はパネル５２の右側面５７から延出し、円断面形状を有している。図６に示すように、細長ピン６２は、隣接するパネル５２の側面５７を貫通する開口７４に整列して形成されたスロット７３に摺動自在に収容されている。細長ピンの、パネル５２の側面を越えて延びる端部と反対側の端部７５が、望ましくは金属で形成され、スロット７３内に収容されているコイルスプリング７６によって付勢されている。第２の細長ピン、スロット、およびスプリングがパネル解放手段の一部を形成することができ、パネル５２の右または左の反対側に同様の方法で形状付けられ、配置され得る。
【００３５】
パネル解放手段はまた、第１の把持用キャビティに回動可能にマウントされた少なくとも第１のレバーを含み得る。例えば、図６に示すように、第１のレバー７８は剛性の棒であり、棒の長さ方向のほぼ中央部分あたりで折り曲げられている。望ましくは、枢支ポスト（軸）７９が第１の把持用キャビティ７２内に配置かつマウントされ、第１のレバー７８が、例えば図６に示すように、ポスト７９の回りに回動可能にマウントされる。図６にさらに示すように、細長ピン６２はレバー７８の第１の端部８０に回動自在に係合している。パネル解放手段はまた、第１の把持用キャビティ７２内に配置されている第１のハンドル８２を含み得る。例えば、図６に示すように、右のハンドル８２は右の把持用キャビティ７２内に配置され、レバー７８の第１の端部８０と反対側の第２の端部８１に接続されている。
【００３６】
第１のレバー７８およびハンドル８２は、ポスト７９の回りに回動されたときに採り得る２つの最終の位置付けを示すべく、実線および２点鎖線の両者によって描かれている。２点鎖線は、人がハンドル８２をパネル５２の右側面５７に向け握りしめ、スプリング７６の付勢力に対抗して細長ピン６２をパネル５２の右側面５７から遠ざかるように動かし、細長ピン６２が細長い穴６０の前端６４を通過するクリアランスを生ずるべく引き込まれたとき、パネル５２が収納用キャビティ３４から取り外され得る位置付けを示している。この配置において、ピン６２は細長い穴６０から引き込まれるであろう。望ましくは、レバー、ポスト、およびハンドルの同様の形態がパネル５２の左側にも存し、この左のハンドルは人の左手で握られ、かつ、収納用キャビティ３４の左側壁３９の左の穴から左の細長ピンを引き込むべく、同様の方法で同時に握りしめられる。図６の実線は、ハンドル８２に対して施されている圧力が無く、スプリング７６が細長ピン６２をパネル５２の右側面５７で形成された境界を越える完全に延出された位置に付勢しているときの、細長ピン６２、レバー７８、およびハンドル８２の位置付けを示している。
【００３７】
パネル５２が収納用キャビティ３４内に動かされるにつれ、細長ピン６２は傾斜ガイド６６の傾斜面に沿って滑り、かつ、細長ピン６２はスプリング７６の付勢力に抗して、パネル５２が充分に収納用キャビティ３４内に移動し、細長ピン６２が傾斜面との接触を止め、スプリング７６が細長ピン６２を、例えば図１１および図１２に示すように、細長い穴６０に押し込むまで、内方に向けて動かされる。図１１（Ａ）に示すように、細長ピン６２は完全に延出され、細長い穴６０の前端部６４近傍の傾斜ガイド６６を通過して移動している。
【００３８】
さらに本発明によれば、収納用キャビティ３４内で、本体の前面に対し傾斜した位置にパネルを部分的に保持する手段を設けることができる。ここに具体化され、例えば図１、図３、図４、図１１、および図１２に示すように、部分保持手段は、パネル５２の前面５４からパネル５２の前縁に沿って延在して配置された保持用リップ８４を含み得る。例えば、図９、図１０、図１１および図１２に示すように、部分保持手段はまた、収納用キャビティ３４の頂側壁３７から延在して配置された保持用フランジ８６を含み得る。図１１および図１２に示すように、保持用フランジ８６はＵ形状挿入物４６の部分として一体に形成されている。加えて、部分保持手段はまた、左の細長い穴６０およびこれに対応する右の細長い穴を含み、これらの中にパネル５２がそれぞれの左および右の細長ピン６３、６２を介して、回動および摺動自在にマウントされている。このようにして、パネル５２の前面５４が本体２２の前面２４に対し鋭角に配置されたとき、保持用リップ８４は保持用フランジ８６に係合することができる。図２および図１２に示すように、保持用リップ８４が保持用フランジ８６に係合したとき、パネル５２の前面５４は水平面より約１０度下に配置され、かつ、本体２２の前面２４に対し約８０度の鋭角に配置される。
【００３９】
さらに本発明によれば、パネル５２を本体の頂面の上方にマウントする手段を設けることができる。ここに具体化され、図１〜図３、図７および図８に示されるように、本体の頂面上方にパネルをマウントする手段は、本体２２内に定められ本体２２の頂面３２を貫通して延在する第１の細長いチャンネル８８を含み得る。第１のチャンネル８８は本体２２の前面および後面、２４および２３の間に定められ本体２２の上側部分内に延在している。
【００４０】
パネルマウント手段はまた、本体２２内に定められた第１のロック用溝８９を含み得る。図１〜図３、および８に示すように、第１のロック用溝８９は本体２２内に定められ得る。図８に示すように、第１のロック用溝８９は第１のチャンネル８８に横向きに連なる第１の部分８５と下向きに延びる落ち込み部（破線）８７とを有する。
【００４１】
図５、図７、および図８に示すように、パネルマウント手段はまた、第１のボルト９０を含み得る。図７および図８に示すように、第１のボルト９０は中実で細長い第１のシャフト９１を有する。図７および図８に示すように、第１のシャフト９１は本体２２の第１のチャンネル８８内に摺動自在に配置され得る。図７および図８に示すように、第１のボルト９０は第１のシャフト９１から横方向に延びているハンドル部分９２（図１〜図３）を有し得る。操作者はハンドル部分９２を掴みボルト９０を本体２２の頂面３２の上方に滑らせて延出することができる。図７および図８に示すように、第１のボルト９０は、ハンドル部分９２が第１のロック用溝８９の落ち込み部８７（図８の破線）内に摺動して収容され、一方、第１のシャフト９１の端部９３が本体２２の頂面３２の上方に延出するように、形状付けられる。図５、図７および図８に示すように、端部９３は望ましくは円錐様式にテーパ付けられている。
【００４２】
加えて、パネルマウント手段は第１の開口を含み得る。図４および図５に示すように、第１の開口９４はパネル５２の後面５５からパネル５２内に延び得る。第１の開口９４は、端部９３が本体２２の頂面３２の上方に延出したとき、第１のシャフト９１のテーパ付端部９３を受け入れるべく形状付けられ、かつ、配置されている。図４および５に示すように、パネル５２の第１の開口９４は筒状のスリーブ９５と整列され得る。スリーブ９５は金属および／または剛性のプラスチックで形成され、望ましくは切頭円錐断面の形態でテーパ付けられている。かくて、スリーブ９５によって、開口９４はシャフト９１のテーパ付端部９３を受け入れるべく形状付けられている。図５に示すように、パネル５２の前面５４は第１の開口９４が本体２２の頂面３２の上方に延びる第１のシャフトの端部９３を受け入れているとき、概ね水平な位置に配置される。図５はパネル５２、第１のボルト９０の端部９３、および、例えば図３にもまた示されている本体２２（破線）の相対的な位置を示している。
【００４３】
第２の細長いチャンネルが本体２２の上側部分に設けられ得、結果として、同様に形状付けられた左右のチャンネル、左右のロック用溝、および左右のハンドル付ボルトが設けられる。加えて、例えば図４に示すように、第２の開口９４がパネル５２の後面５５からパネル５２内に延びるべく設けられ得る。左右の開口９４は、端部９３が本体２２の頂面３２の上方に延出したとき、左右のボルトのそれぞれの端部９３を受け入れるべく形状付けられ、かつ、配置されている。しかしながら、チャンネル、ボルト、および開口の単一のセットのみが設けられるのであれば、その配列は本体２２の頂面３２の中央のように図１〜図３および４に示されたのとは異なり得る。（テーパ付かそうでないかの）形態、およびボルト９１の端部９３と対応する開口９４とが潤滑されているか（否か）により、この中央配列はパネル５２が１つの細長いボルトの回りに回動されることを許容し得る。さらに、細長いシャフト、ボルト、および開口の１つのみは、図１〜図３に示した形態において使用され得る。この配列はまた、形態および端部９３と対応する開口９４との潤滑の適切な組み合わせを条件として、パネル５２が１つの細長いボルトの回りに回動されることを許容するであろう。
【００４４】
本発明のコンバーチブル型足板の作動は次のように実行される。操作者の両手が、例えば図１に示された本体２２内の左右それぞれの切り欠き４１、４２に置かれる。操作者はそれからパネル５２を持ち上げ本体２２から離す。この持ち上げ動作は、足板の特別な実施例に設けられているかも知れないいかなる磁気結合素子をも結合解除するに充分である。この持ち上げ動作は、パネルのピン６２が収納用キャビティ３４の側壁３９、４０の細長い穴６０内で回動している間、パネルがほぼ水平な位置に到達するまで継続される。この持ち上げ動作の間、操作者は、図６に示されている如き左右の把持用キャビティ７２内に配置されているハンドルを握り込む必要はない。これは、この時点では操作者は収納用キャビティ３４内からパネル５２を完全に取り外そうとは意図していないからである。一旦、パネルのほぼ水平な位置が得られると、操作者は、パネル５２を収納用キャビティ３４の後壁３６に向けて、細長いピン６２が細長い穴６０の前端６４から離れパネル５２の前面５４上の保持用リップ８４が収納用キャビティ３４の頂側壁３７から延びる保持用フランジ８６の背後に移動するまで、摺動させてもよい。それから、操作者は保持用リップ８４が、図１２に示すように、保持用フランジ８６に係合するまでパネル５２を下げることができる。この配置において、パネル５２は患者のレコードにノートすべく病院のスタッフによって用いられ得る筆記面を形成する。かかるレコード５１は、例えば図２および図３に示すポケット部材４８の背後から取り出すことができる。
【００４５】
本体２２の頂面にパネル５２をマウントするために本体２２を準備する際には、左右のボルトハンドル９２の各々が引き込まれた横向きの溝９６（図８）の落ち込み部９７（図８に仮想線で示す）から操作され、それぞれの横向きのロック用溝８９にまで垂直方向に移動される。ボルトハンドル９２は、例えば図５に示されるように、細長いボルト９０各々の端部９３の各々が本体２２の頂面３２の上方に延出する位置に延在すべく、ロック用溝８９の横向きの部分内に挿入される。ボルトハンドル９２は、横向きのロック用溝８９の落ち込み部８７内に休止することが許容されており、細長いボルトシャフト９１のテーパ付端部９３を本体２２の頂面３２の上方に維持する間、これはハンドル９２を安定して収容することになる。
【００４６】
操作者がパネル５２を収納用キャビティ３４内から完全に取り外し、それを図３のように本体２２の頂面３２の上方にマウントすることを決したときには、操作者は手でもって、パネル５２の後面５５からへこまされた、例えば図６に示された左および右の把持用キャビティ７２内に配置された左および右のハンドル８２を握り込む。ハンドル８２を握り込むと、本体２２の収納用キャビティ３４の左右それぞれの側壁３９、４０に形成された左右の細長い穴６０内から左右の細長いピン６２引き抜かれる。一旦、細長いピン６２が充分に引き抜かれると、パネル５２は収納用キャビティ３４から完全に取り外され得る。それから操作者は、パネルをその後面５５の開口９４が細長いボルト９０の延出された端部９３に整列するまで移動し、開口９４を、パネル５２が図３に示されるような有用なトレイ位置に固設されるべく、ボルト９０の端部９３上に置く。パネル５２を図３に示された有用なトレイ配列から取り外すには、操作者は単にパネル５２を垂直方向に持ち上げ、ボルト９０の端部９３を開口９４ないしは（もしあれば）開口９４のライニングのスリーブ９５の外に滑らせればよい。
【００４７】
操作者がパネル５２を収納用キャビティ３４に再収容したいときは、操作者は左右の細長ピン６２を左右の傾斜ガイド６６上に置き、パネル５２を収納用キャビティ３４の後壁３６に向け、細長ピン６２が、例えば図９（Ａ）に示すように、左右の細長い穴６０内に延在するようになるまで、押し込む。操作者はそれからパネル５２を、パネルの磁気結合素子７１が本体２２から延在している磁気結合素子７０に結合するまで、下げる。
【００４８】
【発明の効果】
以上説明したように、本発明によれば、病院の環境下において有用な他の機能を遂行するべく操作され得る足板を得ることができる。
【００４９】
また、病院の環境下において有用な他の機能を遂行するべく操作され得、手動で取り外すことができるパネルを備えたベッドの足板を得ることができる。
【００５０】
さらに、患者のレコードを明瞭な視界外に収容することができ、しかも必要なとき病院のスタッフが容易にアクセスできるベッドの足板を得ることができる。
【００５１】
さらに、患者のレコードの調整のために便利な筆記面をもたらす配列を採るべく手によって容易かつ迅速に操作されるパネルを備えたベッドの足板を得ることができる。
【００５２】
さらにまた、ベッドが静止されている、あるいは一つの場所から他に移動されている間等しく機能するすることができる有用な棚として役立つべくベッドの足下に手動で配置され得るパネルを備えるベッドの足板を得ることができる。
【図面の簡単な説明】
【図１】本発明の一実施例の斜視図である。
【図２】図１に示された実施例の斜視図であるが、パネルが持ち上げられ、かつ、筆記位置に連結されている。
【図３】図１に示された本発明の実施例の斜視図であるが、パネルが足板の収納キャビティから取り外され、足板の頂面上で有用な棚位置にマウントされている。
【図４】足板から取り外されたパネルの斜視図である。
【図５】図４で各矢印５−５に示された方向の部分断面図であり、足板の上側部分を想像線（２点鎖線）で、および延出されたマウント用ボルトを示す。
【図６】図４で矢印６−６に示された方向の断面図であり、スプリングに付勢された細長いピン、およびその回動自在に連結されたレバーおよびハンドルの引き込まれた位置を想像線で示す。
【図７】足板の本体のチャンネルから延出された細長いボルトを示す部分断面斜視図である。
【図８】足板の本体のチャンネルから延出された細長いボルトを仕切を破断して示す部分断面斜視図である。
【図９】収納キャビティの頂側壁近傍の詳細を示し、（Ａ）は図３に示した矢印９−９に直交する方向から見た正面図であり、この方向から見て傾斜部材の背後に配置された細長い穴に挿入されるトレイ無しで傾斜部材を示し、（Ｂ）は図３に示した矢印９−９の方向から見た部分断面図である。
【図１０】パネルの部品を受け入れるべく形状付けられた足板本体の部品の斜視図である。
【図１１】収納キャビティの頂側壁近傍の詳細を示し、（Ａ）は図９（Ａ）と同様の正面図であり、パネルが実線で、足板本体の部品が想像線で示され、（Ｂ）は図３に示した矢印９−９と同じ方向から見た部分断面図であるが、パネルおよび細長いピンが断面で示され、細長い穴および足板本体の部品が想像線で示されている。
【図１２】図２に示す矢印１２−１２と同じ方向に見た部分断面図で、かつ、図９（Ａ）および図１１（Ｂ）と同様の図であるが、パネルが筆記位置に連結され、パネルおよび細長いピンが断面で示され、および足板本体の部品が想像線で示されている。
【符号の説明】
２０  足板
２２  本体
２４  前面
２６  下側部分
２８  上側部分
３０  切り抜き
３２  頂面
３４  収納用キャビティ
３６  後壁
３７  頂側壁
３８  底側壁
３９  左側壁
４０  右側壁
４１  左切欠き
４２  右切欠き
４４  スリーブ
４５  ネジ
４６  Ｕ形状挿入物
４８  ポケット部材
５０  ポケット
５１  レコード
５２  パネル
５４  前面
５５  後面
５６  左側面
５７  右側面
５８  金属棒
６０  左の穴
６２  右の細長ピン
６３  左の細長ピン
６４  前端
６５  後端
６６  傾斜ガイド
６７  一体構造体
６８  切欠き部分
７０  第１磁気結合素子
７１  第２磁気結合素子
７２  把持用キャビティ
７３  スロット
７４  開口
７５  端部
７６  コイルスプリング
７８  第１レバー
８２  ハンドル
８４  保持用リップ
８６  保持用フランジ
８７  落ち込み部
８８  チャンネル
８９  ロック溝
９０  ボルト
９１  シャフト
９２  ハンドル
９３  端部
９４  開口
９５  スリーブ
【図１】
0003593154.tif 000002
【図２】
0003593154.tif 000003
【図３】
0003593154.tif 000004
【図４】
0003593154.tif 000005
【図５】
0003593154.tif 000006
【図６】
0003593154.tif 000007
【図７】
0003593154.tif 000008
【図８】
0003593154.tif 000009
【図９】
0003593154.tif 000010
【図１０】
0003593154.tif 000011
【図１１】
0003593154.tif 000012
【図１２】
0003593154.tif 000013